【事件の表示】
　平成１０年特許願第２５９４１４号「パチンコ玉ケース」拒絶査定不服審判事件〔平成１２年３月７日出願公開、特開２０００−７０５３８〕について、次のとおり審決する。
【結　論】
　本件審判の請求は、成り立たない。
【理　由】
第１　手続の経緯
　本願は、平成１０年８月２７日に出願されたものであって、平成１４年１０月９日付けで拒絶査定がなされ、これに対し、平成１４年１１月２２日に拒絶査定に対する審判請求がなされるとともに同年１２月２４日付けで手続補正がなされ、その後、当審において、平成１８年４月２４日付けで上記平成１４年１２月２４日付けの手続補正に対する補正の却下の決定がなされるとともに同日付けで拒絶理由の通知がなされ、これに対し、請求人から平成１８年７月１０日付けで意見書が提出されたものである。
　　　
　　　
第２　平成１８年４月２４日付けでなされた平成１４年１２月２４日付けの手続補正に対する「補正の却下の決定」についての検討
　請求人は、平成１８年７月１０日付け意見書において、補正発明が引用刊行物の記載内容に対し十分に新規性と進歩性を具備するものであって本願出願時に独立して特許を受けることができたものであり、平成１８年４月２４日付けでなされた平成１４年１２月２４日付けの手続補正に対する「補正の却下の決定」（以下、単に、「補正の却下の決定」という。）は不当である旨主張しているから、以下、これについて検討する。
　　
【１】「補正の却下の決定」の理由
　「補正の却下の決定」の理由は、以下のとおりである。
　　
［理　由］
　「〔１〕手続の経緯
　・・・
　　
〔２〕補正の内容
　上記平成１４年１２月２４日受付けの手続補正（以下、「本件補正」という。）の内容は、【請求項１】を次のとおりに補正することを含むものである。
　「【請求項１】パチンコ玉を収容する容器部の両側に把手を設けたパチンコ玉ケースにおいて、全体を透明プラスチックで成形するとともに、前記把手を前記容器部から張出する基部と、該基部と一体成形された少なくとも一方の端部が外に開口する中空筒状の握り部とで構成し、前記握り部はその張出方向の外側が低くなるように数度乃至十度程度傾斜させて設けたことを特徴とするパチンコ玉ケース。」（以下、「補正発明」という。）
　上記補正は、平成１５年改正前特許法第１７条の２第４項第２号の特許請求の範囲の減縮を目的とするものであるから、上記補正発明が、その特許出願の際独立して特許を受けることができるものであるか（平成１５年改正前特許法第１７条の２第５項の規定において準用する同法第１２６条第４項の規定に適合するか）否かについて、以下に検討する。
　　　
〔３〕引用刊行物とそれに記載の発明
１．本願出願前に国内において頒布された刊行物である特開平３−２８６７９３号公報（以下、「刊行物１」という。）には、パチンコ店用大型手持ち玉箱に関して、以下の事項が記載されている。
（ア）「対向側壁外部に把持部を有し、多量のパチンコ玉が入れられるパチンコ店用の大型手持ち玉箱において、前記把持部を側壁との間に指掛け凹部を形成して中空筒体によって形成した・・・パチンコ店用大型手持ち玉箱。」（特許請求の範囲）
（イ）「〔従来技術〕パチンコ店では常時多量の玉が取扱われ、遊技者が玉を持ち運ぶのには玉箱が使用され、このためにパチンコ店には収容玉量が異なる大小数種類のプラスチック製の玉箱が常備して遊技者が自由に使えるようにしてある。上記する玉箱で、多量の玉が入る大型のものは、両手で持ち上げて運べるように対向側壁外部に把持部が設けれている。・・・玉箱１は、長方形状をなす底板２周りに側壁３を形成し、側壁３上縁周りに張出縁４を形成し、玉箱１の短辺がわで対向側壁外部において張出縁４から連設状に把持部５を形成してなる。上記張出縁４は、側壁３から連続させた水平部４ａと、この水平部４ａに続く垂下部４ｂによって側壁３との間に凹部４ｃを形成している。・・・従来の玉箱１における把持部５は、張出縁４の一部を拡張する如く形成され、この拡張縁部４′両側に壁部６を設けて指掛け凹部５ａを形成し、拡張縁部４′の垂下部４ｂ′下縁に指先が当てられて持たれる構成のものである。」（１頁左下欄１６行〜２頁左上欄１行）
（ウ）「〔発明が解決しようとする課題〕上記するように、従来の玉箱における把持部５は、張出縁４の一部を拡張した拡張縁部によって形成されるため、多量の玉を入れた玉箱を持ち運ぶのに、把持部５に対して下方から掛けた親指を除く４指には拡張縁部４′の板状をなす垂下部４ｂ′下縁が指先が当てられて荷重を受け止めるようになり、指先と把持部５との触れ面積が小さくて荷重が集中して指先が痛くて持ち上げている時間や玉量に制限を受ける。また、単に、張出縁４の一部を拡張した拡張縁部４′によって形成した従来の把持部５構成からすると、多量の玉を入れた玉箱を持ち運ぶ時に把持部５に掛かる力で折損やひび割れを生じることがあり、強度面からの問題もある。この発明は上述の点に鑑みなされたものであって、玉箱の把持部を改良して指先への触れ具合を良くし、把持部の強度も高めて多量の玉を持ち運ぶのに便利なパチンコ店用大型手持ち玉箱を提供することを目的とする。」（２頁左上欄２行〜同頁右上欄１行）
（エ）「〔問題点を解決するための手段〕上記の目的を達成させるため・・・、対向側壁外部に把持部を有し、多量のパチンコ玉が入れられるパチンコ店用の大型手持ち玉箱において、前記把持部を側壁との間に指掛け凹部を形成して中空筒体によって形成した・・・パチンコ店用大型手持ち玉箱にある。」（２頁右上欄２〜９行）
（オ）「〔作用〕この発明によれば、多量の玉を入れた玉箱を持ち運ぶのに、把持部をなす指掛け凹部に親指を除く４指の指先を入れ、中空筒体面を指先に当てて持ち上げるようにするため、指先に掛かる荷重が集中せずして指先の痛みがない状態で楽に多量の玉が持ち運べる。また、把持部における中空筒体は把持部強度を格段に高めて玉箱の耐用寿命を延長する。」（２頁右上欄１０〜１８行）
（カ）「〔実施例〕・・・第３図は第１図ａ−ａ線におけるこの発明の実施例を示す玉箱の一部断面図である。この発明における把持部５は、玉箱１の短辺がわの対向側壁外部において、側壁３との間に指掛け凹部５ａを形成して中空筒体７によって形成したものである。上記把持部５の形成に当たって中空筒体７は、玉箱１成型時に張出縁４に連続してその一部を形成し、これに別途用意した残りの部分を一体的に結合する。尚、中空筒体７の断面形状や指掛け凹部５ａとの関係は、手の大きさに適合させて適切に設定されるもので、中空筒体７の外面は指先への触れ具合を良くする上から曲面とする。図中８は把持部５近傍で側壁３外面に設けた係止段、９はこの係止段８に接してコーナー部に掛けて設けた膨出部で、玉箱１を使用しない時に、第４図に示すように下位玉箱に対して上位玉箱を嵌入させて積上げる時に、係止段８は上位玉箱を抜取り易くするために下位玉箱の張出縁４上に部に係止させて若干上位玉箱を浮上させるようにしたものであり、また、膨出部９はこの時の下位玉箱とのコーナー部における隙間をなくしてがた付きをなくし、積上げ状態を安定させるためのものである。」（２頁右上欄１９行〜同頁右下欄６行）
（キ）そして、刊行物１に実施例として記載された「パチンコ店用大型手持ち玉箱」は、上記（イ）（ウ）の記載によれば、従来の大型のプラスチック製の玉箱の「把持部５」を改良したものであるから、従来の玉箱と同様に、「プラスチック製」のものであることは明らかであり、また、上記（カ）の記載によれば、「把持部５の形成に当たって中空筒体７は、玉箱１成型時に張出縁４に連続してその一部を形成し、これに別途用意した残りの部分を一体的に結合する」ものであるから、「張出縁４」と「中空筒体７」とが一体成形されて「把持部５」が形成されたものであることは明らかであり、さらに、「長方形状をなす底板２」とその周りに形成した「側壁３」とで容器部が形成されていることも明らかである。
　これら（ア）〜（キ）の記載等を含む刊行物１全体の記載及び当業者の技術常識によれば、刊行物１には以下の発明が記載されているものと認められる。
　「長方形状をなす底板２とその周りに形成した側壁３とからなる容器部の短辺がわの対向側壁３の外部に把持部５を設けたパチンコ店用大型手持ち玉箱において、全体をプラスチックで成形するとともに、前記把持部５を前記容器部の側壁３から張出する張出縁４と、該張出縁４と一体成形された中空筒体７とで構成したパチンコ店用大型手持ち玉箱。」（以下、「刊行物１記載の発明」という。）
　　
２．本願出願前に国内において頒布された刊行物である特開平９−４７５６８号公報（以下、「刊行物２」という。）には、パチンコ玉箱に関して、以下の事項が記載されている。
（ア）「【請求項１】パチンコ玉を入れる箱本体の両側に把手を一体成型したパチンコ玉箱において、全体を透明または半透明なプラスチック材料で形成し、前記把手の基部には複数の指が挿入可能で上下に貫通する指掛け穴を設けて、その外側に手で握る握り部を形成し、該握り部の上面側には前後方向に拇を添わせられる浅い溝状の凹部を設けると共に、その下側には複数の指を掛けることができる左右方向の浅い溝状の凹部を設けた・・・パチンコ玉箱。」（特許請求の範囲）
（イ）「しかし、把手の構造については特に深く配慮されておらず、パチンコ玉箱に沢山の玉を入れた場合には手が痛かったり、持ち難かったり、また積み重ねておかれた多くの玉箱から上位の玉箱１個を取り上げるときに取り難かったりなどの課題を残している。」（段落【０００３】）
（ウ）「【発明が解決しようとする課題】従って本発明の課題は、従来のパチンコ玉箱の利点を生かしながら、例えば沢山の玉を収容したパチンコ玉箱を運搬する時でも、両握り部を両手でしっかりと持つことができるなど、さらに取り扱いや使い勝手の良いパチンコ玉箱を提供することにある。」（段落【０００４】）
（エ）「本発明のパチンコ玉箱の把手は、その握り部の上面側に浅い溝状の凹部、下面側に複数の指掛け凹部および把手の基部に指掛け穴が設けられているため、パチンコ玉が沢山はいっている時でも、手が横滑りすることもなく、両手でしっかりと握ることができる。」（段落【０００８】）
（オ）「前記、握り部の上面側に設けられた浅い溝状の凹部は、遊技者が遊戯中に空いた片手をこの凹部の上に落ちつかせて、遊技に集中できるというメリットがある。・・・」（段落【０００９】）
（カ）「【発明の実施の形態】・・・このパチンコ玉箱１は、箱本体２とその左右両側の把手３、３とが一体成型されている。材質は透明なポリカーボネートであり、例えば赤色・青色等に着色することができる。」（段落【００１０】）
（キ）「把手３には、その基部３１に指掛け穴３３が設けられ、その外側に握り部４１が形成されている。指掛け穴３３は、上下に貫通しており、この穴に複数の指を挿入することができる。」（段落【００１２】）
（ク）「握り部４１は、図に示すようにやや肉厚で下面側５３に向けて滑らかに膨らんでおり、その下面側５３には左右方向に複数の指が収まる浅い溝状の凹部５５、・・・が設けられると共に、上面側４３には前後方向に浅い溝状の凹部４５が設けられている。・・・」（段落【００１３】）
　これら（ア）〜（ク）の記載を含む刊行物２全体の記載及び当業者の技術常識によれば、刊行物２には以下の発明が記載されているものと認められる。
　「パチンコ玉を収容する箱本体２の両側に把手３を設けたパチンコ玉箱において、全体を透明または半透明なプラスチック材料で形成するとともに、前記把手３を前記箱本体２から張出する基部３１と、該基部３１と一体成形され、下面側５３に向けて滑らかに膨らんでやや肉厚とされた握り部４１とで構成し、やや肉厚とされた前記握り部４１の上面側４３に設けられた前後方向に浅い溝状の凹部４５及び下面側５３に設けられた左右方向に複数の指が収まる浅い溝状の凹部５５並びに基部３１に設けられた指掛け穴３３により、パチンコ玉が沢山はいっている時でも手が横滑りすることもなく両手でしっかりと握ることができ、また、前記浅い溝状の凹部４５により、遊技者が遊戯中に空いた片手をこの凹部４５の上に落ちつかせて遊技に集中できるようにしたパチンコ玉箱。」（以下、「刊行物２記載の発明」という。）
　　
３．本願出願前に国内において頒布された刊行物である特開昭６２−１９１９０号公報（以下、「刊行物３」という。）には、パチンコ店用手持玉箱に関して、以下の事項が記載されている。
（ア）「（産業上の利用分野）この発明はパチンコ店で遊戯者がパチンコ玉を入れ、整理したり、移動したりする時に使用する手持玉箱に関する。」（１頁左下欄１１〜１４行）
（イ）「（従来の技術）パチンコ店には適量のパチンコ玉が収容できる数種類の大きさのプラスチック製の玉箱が備えてあり、玉出し機から購入した玉の受取りや、パチンコ機の玉受皿に溜まった賞玉の整理、また遊戯終了後の賞玉の精算への持ち運び等に遊戯者が自由に使用できるようしてある。」（１頁左下欄１５行〜同頁右下欄１行）
（ウ）「（実施例）・・・第１図はこの発明の玉箱の平面図、第２図は縦断面図である。図に於いて、１は上向けに開口する玉箱で、側壁３が底板２から上向き外方に傾斜して立ち上がり、底板外周には下向けに突出状とする載置縁４を形成した周知形態のプラスチック製のものである。」（２頁左上欄３〜１２行）
（エ）そして、第１，２図を参照すると、「玉箱１」の両側に把手が形成され、当該把手がその張出方向の外側が低くなるように傾斜させて設けてあることは明らかであり、また、「底板２」と「側壁３」とで容器部が形成されていることも明らかである。
　これら（ア）〜（エ）の記載等を含む刊行物３全体の記載及び当業者の技術常識によれば、刊行物３には以下の発明が記載されているものと認められる。
　「パチンコ玉を収容する容器部の両側に把手を設けたパチンコ店用手持玉箱において、全体をプラスチックで成形するとともに、前記把手がその張出方向の外側が低くなるように傾斜させて設けたパチンコ店用手持玉箱。」（以下、「刊行物３記載の発明」という。）
　　　
〔４〕補正発明と刊行物１記載の発明との対比・検討
１．補正発明と刊行物１記載の発明との対比
　補正発明と刊行物１記載の発明とを対比すると、刊行物１記載の発明の「長方形状をなす底板２とその周りに形成した側壁３とからなる容器部」，「短辺がわの対向側壁３の外部」，「把持部５」，「パチンコ店用大型手持ち玉箱」，「容器部の側壁３から張出する張出縁４」，「中空筒体７」が、補正発明の「パチンコ玉を収容する容器部」，「両側」，「把手」，「パチンコ玉ケース」，「容器部から張出する基部」，「中空筒状の握り部」にそれぞれ相当するから、両者は、
　「パチンコ玉を収容する容器部の両側に把手を設けたパチンコ玉ケースにおいて、全体をプラスチックで成形するとともに、前記把手を前記容器部から張出する基部と、該基部と一体成形された中空筒状の握り部とで構成したパチンコ玉ケース。」の点で一致し、以下の点で相違する。
＜相違点１＞
　パチンコ玉ケースに関して、補正発明が「全体を透明プラスチックで成形する」ものであるのに対して、刊行物１記載の発明では、「全体をプラスチックで成形する」ものではあるが、当該「プラスチック」が「透明」であるのか否か定かでない点。
＜相違点２＞
　中空筒状の握り部に関して、補正発明が「少なくとも一方の端部が外に開口する」ものであるのに対して、刊行物１記載の発明では、そのようなものであるのか否か定かでない点。
＜相違点３＞
　同じく、中空筒状の握り部に関して、補正発明が「その張出方向の外側が低くなるように数度乃至十度程度傾斜させて設けた」ものであるのに対して、刊行物１記載の発明では、縁部上面に丸みを有するものの、そのようなものではない点。
　　
２．相違点についての検討
＜相違点１について＞
　パチンコ玉ケースの全体を透明プラスチックで成形することは、例えば、上記刊行物２（全体を透明または半透明のプラスチック材料で形成したパチンコ玉箱１について記載されている。）に記載され、その他、特開平６−２８５２４７号公報（プラスチックス射出成形品製の透明な大型のケース本体１について記載されている。段落【００３３】を参照。），特開平７−２５０９６９号公報（透明、半透明あるいは不透明のプラスチックからなるプラスチックケース本体１について記載されている。段落【００１０】を参照。）等にも記載されているように、パチンコ玉ケースの技術分野では周知の事項にすぎないから、刊行物１記載の発明のパチンコ玉ケース（パチンコ店用大型手持ち玉箱）について、パチンコ玉ケースの技術分野における周知技術を適用して、補正発明の上記相違点１に係る技術事項を想到することに、格別の技術的困難性を認めることができない。
＜相違点２について＞
　中空筒状の握り部を少なくとも一方の端部が外に開口するものとすることの技術的意義は、本願明細書によれば、「また、中空筒状の握り部の内部に公告やメッセージを記載したシート（紙片等）やシールを内装しておくことにより、透明プラスチックを通してその記載内容を外部から見ることができる。しかも、このシートやシールは中空筒状の握り部内に入れてあるので、剥れたり汚れたりするおそれがない。なお、中空筒状の握り部は、少なくとも一方の端部が外に開口しているので、シートやシールを入れたり出したりするのが容易である。」（本件補正、段落【０００９】の記載を参照。）との記載からみて、シートやシールの出し入れを容易化することにあると認められるところ、一般に、透明な筒体の中空部内に広告用シート類を内装するにあたり、筒体の少なくとも一方の端部である外に開口できる端部からこれを行うようにすることは、例えば、実願昭５８−１２８２１０号（実開昭６０−３６１７２号）のマイクロフィルム（透明な外筒７内に外周に紙片類８を巻装せしめた中空軸１を嵌合すること、即ち、透明な外筒７の一端開口から紙片類８を内装することが記載されている。），実願昭５８−１４１７４６号（実開昭６０−５０３５５号）のマイクロフィルム（透明プラスチック材からなる有底筒体１内にその一端開口から広告片６を内装することが記載されている。），実願平４−３３４２５号（実開平６−２２７６１号）のＣＤ−ＲＯＭ（透明材からなる筒状のケース本体１内にその一端開口から広告等用のシートＣを内装することが記載されている。）等に記載されているように広告の技術分野では慣用されている技術にすぎないから、刊行物１記載の発明の中空筒状の握り部（中空筒体７）について、広告の技術分野における上記のような慣用技術を適用して、補正発明の上記相違点２に係る技術事項を想到することに、格別の技術的困難性を認めることができない。
＜相違点３について＞
　中空筒状の握り部をその張出方向の外側が低くなるように数度乃至十度程度傾斜させて設けるものとすることの技術的意義は、本願明細書によれば、「・・・把手の握り部がその張出方向の外側が低くなるように数度乃至十度程度傾斜させて設けたので、該握り部を握る場合に、指だけではなく掌まで握り部が嵌り込む結果、大きな重量を比較的楽に支えることができる。また、把手を支持する力が斜め上向きに作用するので、把手の付け根部に加わる曲げモーメントを小さくすることができ、強度的に優れたものとすることができる。さらに、遊戯の途中で、手首をケースの把手上に載せて休める場合に、外側が低く傾いているので、手首を載せやすい。・・・」（平成１４年７月８日受付けの手続補正、段落【０００８】の記載を参照。）ということにあると認められるところ、刊行物１には、「尚、中空筒体７の断面形状や指掛け凹部５ａとの関係は、手の大きさに適合させて適切に設定されるもので、・・・。」（上記〔２〕１．（カ）の記載を参照。）と記載され、また、刊行物２記載の発明のパチンコ玉箱（補正発明の「パチンコ玉ケース」に相当する。以下同様。）は、「やや肉厚とされた前記握り部４１（「握り部」）の上面側４３に設けられた前後方向に浅い溝状の凹部４５・・・並びに基部３１（「基部」）に設けられた指掛け穴３３により、パチンコ玉が沢山はいっている時でも手が横滑りすることもなく両手でしっかりと握ることができ、また、前記浅い溝状の凹部４５により、遊技者が遊戯中に空いた片手をこの凹部４５の上に落ちつかせて遊技に集中できるようにした」ものであって、補正発明と同等の技術的意義を有し、しかも、「握り部４１の上面側４３に設けられた前後方向に浅い溝状の凹部４５」については、少なくともその中途部までの範囲に亘って、その張出方向の外側が低くなるように数度程度傾斜させてあるものということができ、さらに、把手をその張出方向の外側が低くなるように傾斜させて設けることは、例えば、刊行物３に記載され、その他、登録実用新案第３０２３７５８号公報（第２，４，５図を参照。），特開平９−４７５７０号公報（図５を参照。）等にも記載されているように、パチンコ玉ケースの技術分野では周知の事項にすぎないから、刊行物１記載の発明の中空筒状の握り部（中空筒体７）について、刊行物２，３記載の発明及びパチンコ玉ケースの技術分野における周知技術を適用して、補正発明の上記相違点３に係る技術事項を想到することに、格別の技術的困難性を認めることができない。
　　
３．作用効果・判断
　そして、補正発明によって奏する効果も、刊行物１〜３記載の発明並びにパチンコ玉ケースの技術分野における周知技術及び広告の技術分野における慣用技術から普通に予測できる範囲内のものであって格別なものがあるとは認められないから、補正発明は刊行物１〜３記載の発明並びにパチンコ玉ケースの技術分野における周知技術及び広告の技術分野における慣用技術に基づき当業者が容易に発明をすることができたものといわざるをえない。
　　　
〔５〕むすび
　したがって、補正発明は、特許法第２９条第２項の規定により、その特許出願の際に独立して特許を受けることができないものである。
　以上のとおりであるから、本件補正は、平成１５年改正前特許法第１７条の２第５項の規定において準用する同法第１２６条第４項の規定に違反するものであるから、特許法第１５９条第１項の規定において読み替えて準用する同法第５３条第１項の規定により却下すべきものである。
　よって、上記［補正の却下の決定の結論］のとおり、決定する。」
　　　
　　　
【２】当審の検討・判断
〔１〕請求人の主張
　請求人の平成１８年７月１０日付け意見書における主張は、上記【１】，〔４〕，２．で述べた相違点１〜３についての検討のうち、主に、相違点２，３についての検討・判断に対するものであるところ、その主張の概要は、以下のとおりである。
１．本願発明（当審注：補正発明，以下同様。）に係るパチンコ玉箱は、「握り部が中空筒状であるから、軽量かつ握りやすく、一方が開口しているので、内部に広告等のメッセージを表示した紙片等を収納することができる。」、「しかも、透明であるから、握り部内に収納した紙片等の表示を外部から見ることができ、メッセージを遊技者にアッピールすることができる。」、「握り部が容器部から下向きに傾斜させて張り出しているので、重量が嵩んでも持ち上げやすい。」等の優れた効果を奏する。すなわち、本願発明は、握り部を好ましい（握りやすく、かつ力を入れやすい）構成のものとすると同時に、その握り部を利用して広告等のメッセージを消滅しないように表示できるようにしたことに大きな特徴がある。本願発明の構成によれば、広告等のメッセージを簡単に取り替えることができ、必要に応じて取り替えることにより、飽きがこないようにすることができる。さらに、広告等は箱全体に表示されるわけではなく、持ち運び時には手で隠れる握り部に表示されるだけであり、それほど目障りにはならない。（意見書２頁１３〜２１行，２５〜３１行の記載を参照。）
　　
２．これに対し、引用文献（当審注：刊行物，以下同様。）１に記載のものは、中空筒状の把手が設けられていますが、単にそれだけのことで、この把手を利用して広告等のメッセージを表示するという考えはまったく示されておらず、また、構造上も本願発明と異なり、容器本体から外側が低くなるように傾斜させて設けられてはいない。同様に、引用文献２〜４にも、補正発明の構成と効果はまったく記載されていない。（同、２頁３２〜３７行の記載を参照。）
　　
３．本願発明は、従来広告等の表示が行われていなかったパチンコ玉箱にいかにして広告等の表示を行えるようにするかということをテーマに、工夫を重ねて完成したものであって、握り部の構成を改良して初めてそれを達成したのであり、単に広告技術を利用したという種類のものではない。（同、３頁１〜４行の記載を参照。）
　　
４．以上述べたとおり、本願発明は、これら引用文献の記載内容に対し十分に新規性と進歩性を具備するものであって、出願時に独立して特許を受けることができるものであり、補正の却下は不当である。（同、２頁４２〜４４行，３頁８〜９行の記載を参照。）
　　
〔２〕検討・判断
１．請求人の上記〔１〕，３．の主張によれば、パチンコ玉箱に広告等のメッセージを表示することは従来行われていなかったということであるが、パチンコ玉箱に何らかの表示を施すことは、例えば、特開平１０−１６５６３７号公報（玉箱の把手部分と側壁部分に収容遊技球数の表示が施されている。），特開平１０−３３７９６号公報（ドル箱の上部両端に台番号を示す銘板が取り付けられている。）に示されているように普通に行われていたことであるから、上記【１】，〔４〕，２．の＜相違点２について＞の検討において、「一般に、透明な筒体の中空部内に広告用シート類を内装するにあたり、筒体の少なくとも一方の端部である外に開口できる端部からこれを行うようにすることは、例えば、・・・等に記載されているように広告の技術分野では慣用されている技術にすぎないから、刊行物１記載の発明の中空筒状の握り部（中空筒体７）について、広告の技術分野における上記のような慣用技術を適用して、補正発明の上記相違点２に係る技術事項を想到することに、格別の技術的困難性を認めることができない。」と判断したことは妥当であったといえるから、このような請求人の主張は採用できない。
　　
２．また、請求人の上記〔１〕，２．の主張において、引用文献１に記載のものは、構造上も本願発明と異なり、容器本体から外側が低くなるように傾斜させて設けられてはいない旨主張し、引用文献２〜４にも、補正発明の構成と効果はまったく記載されていない旨主張しているが、上記【１】，〔４〕，２．の＜相違点３について＞の検討において、その点についての判断を行っており、しかも、その判断は妥当であったといえるから、このような請求人の主張も採用できない。
　　
３．さらに、請求人は、補正発明の「少なくとも一方の端部が外に開口する中空筒状の握り部」との事項について、握り部を利用して広告等のメッセージを消滅しないように表示できるようにしたものである旨、縷々述べているが、補正発明に係る特許請求の範囲の請求項１には、握り部を広告等のメッセージを表示するために利用する旨の記載は一切ないのであるから、このような請求人の主張は、特許請求の範囲の記載に基づかないものであって、本来は、採用できるものではない。
　　
４．以上のとおりであるから、当審が、上記【１】，〔４〕，３．において、「補正発明は刊行物１〜３記載の発明並びにパチンコ玉ケースの技術分野における周知技術及び広告の技術分野における慣用技術に基づき当業者が容易に発明をすることができたものといわざるをえない。」と判断し、上記【１】，〔５〕において、「したがって、補正発明は、特許法第２９条第２項の規定により、その特許出願の際に独立して特許を受けることができないものである。」と判断して、「補正の却下の決定」をしたことは妥当である。
　　
　　
第３　本願発明
　以上のとおり、平成１４年１２月２４日付けの手続補正を却下したことは妥当であるから、本願の請求項１，２に係る発明は、平成１４年７月８日付けの手続補正書により補正された明細書及び図面の記載からみて、その特許請求の範囲の請求項１，２に記載された事項により特定される、以下のとおりのものである。
　「【請求項１】パチンコ玉を収容する容器部の両側に把手を設けたパチンコ玉ケースにおいて、全体を透明プラスチックで成形するとともに、前記把手を前記容器部から張出する基部と、該基部と一体成形された中空筒状の握り部とで構成し、前記握り部はその張出方向の外側が低くなるように数度乃至十度程度傾斜させて設けたことを特徴とするパチンコ玉ケース。
　【請求項２】（記載を省略する。）」（請求項１に係る発明を、以下、「本願発明」という。）
　　
　　
第４　引用刊行物とそれに記載の発明
　これに対し、当審における平成１８年４月２４日付けの拒絶理由通知で引用し、本願出願前に国内において頒布された刊行物及びそれに記載の発明は、上記「第２」，【１】，〔３〕に記載のとおりである。
　　　
　　　
第５　本願発明と刊行物１記載の発明との対比
　本願発明は、上記「第２」で検討した補正発明における「中空筒状の握り部」について、「少なくとも一方の端部が外に開口する」との技術事項を除外したものである。
　そうすると、本願発明の技術事項を全て含み、かつ、前記除外した技術事項を付加して、「中空筒状の握り部」について減縮した補正発明が、上記「第２」，【１】，〔４〕に記載したとおり、刊行物１〜３記載の発明並びにパチンコ玉ケースの技術分野における周知技術及び広告の技術分野における慣用技術に基づき当業者が容易に発明をすることができたものであるから、本願発明も、刊行物１〜３記載の発明及びパチンコ玉ケースの技術分野における周知技術に基づき当業者が容易に発明できたものといわざるをえない。
　　　
　　　
第６　むすび
　以上のとおり、本願発明は、その出願前国内において頒布された刊行物１〜３記載の発明及びパチンコ玉ケースの技術分野における周知技術に基づき当業者が容易に発明をすることができたものであり、特許法第２９条第２項の規定により、特許を受けることができないから、本願の他の請求項に係る発明について検討するまでもなく、本願は、拒絶されるべきものである。
　よって、結論のとおり審決する。